(57)【要約】【課題】  本発明の目的、ごみ箱本体に内袋を簡単に取り付けることができるとともに、ごみ袋として用いることができるビニール袋の大きさ、形状を問わず、見栄えに優れたごみ箱を提供することである。【解決手段】  ごみ箱１００は、開口部と口部を有するごみ袋４を収容する空間とを備えたごみ箱本体１と、ごみ袋４を保持する機能を有する、第１の保持部材２および第２の保持部材３を有する。第１の保持部材２および第２の保持部材３は、それぞれ、ごみ箱本体１の外周面に設けられた下部と、該下部に対して変位可能に設けられ、ごみ袋４を保持しない第１の状態と、ごみ袋４をごみ箱本体１に保持する第２の状態とをとり得る上部とを備えている。【選択図】図３
2010202345.tif 000002
【特許請求の範囲】
【請求項１】
口部を有するごみ袋と組み合わせて使用するごみ箱であって、
開口部と、前記ごみ袋を収容する空間とを備えたごみ箱本体と、
前記ごみ箱本体に設けられた第１の部分と、前記ごみ袋を前記ごみ箱本体に対して保持するために、前記第１の部分に対して変位可能に設けられ、前記ごみ袋を保持しない第１の状態と、前記ごみ袋を前記ごみ箱本体に保持する第２の状態とをとり得る第２の部分とを備えた保持部材とを有し、
使用時に、前記ごみ袋を前記ごみ箱本体の前記空間内に収容し、前記ごみ袋の前記口部近傍を前記ごみ箱本体の前記開口部に配置し、その後、前記保持部材の前記第２の部分を前記第１の状態から前記第２の状態に変位させ、前記ごみ袋の前記口部近傍を前記第２の部分と前記ごみ箱本体との間に保持するよう構成されていることを特徴とするごみ箱。
【請求項２】
前記ごみ箱本体は、底部と、該底部から立設され、湾曲部と該湾曲部の両端を連結する平坦部とを備える壁部とを備える請求項１に記載のごみ箱。
【請求項３】
前記保持部材は、第１の保持部材と、該第１の保持部材と分離して設けられた第２の保持部材とを備える請求項１または２に記載のごみ箱。
【請求項４】
前記第１の保持部材は、前記湾曲部の上部に沿って設けられ、前記第２の保持部材は、前記平坦部の上部に沿って設けられている請求項３に記載のごみ箱。
【請求項５】
前記第１の保持部材および前記第２の保持部材の前記第１の部分は、それぞれ前記ごみ箱本体の壁部の外周面の上部に取り付けられており、前記第１の保持部材および前記第２の保持部材の前記第２の部分は、それぞれ前記第１の保持部材および前記第２の保持部材の前記第１の部分に対して変位して、前記ごみ箱本体の前記開口部の縁を越えて前記ごみ箱本体内に折り曲げ可能に設けられて、前記第２の状態になるように構成されている請求項４に記載のごみ箱。
【請求項６】
前記第１の保持部材および前記第２の保持部材の前記第２の部分と前記ごみ箱本体の外周面との間に隙間が設けられている請求項５に記載のごみ箱。
【請求項７】
前記隙間に前記ごみ袋の前記口部を挿入した状態で、前記ごみ袋の前記口部近傍を前記第２の部分と前記ごみ箱本体との間に保持する請求項６に記載のごみ箱。
【請求項８】
前記第１の保持部材および前記第２の保持部材の前記第２の部分は、前記第２の状態で、前記ごみ箱本体の前記空間内に位置し、その内周面との間で前記ごみ袋の前記口部近傍を保持する請求項７に記載のごみ箱。
【請求項９】
前記第１の保持部材および前記第２の保持部材は、それぞれ帯状であり、
前記第１の保持部材は、前記第２の状態で、その両側端部が、それぞれ前記第２の状態にある前記第２の保持部材の両側端部に接触するように設けられている請求項８に記載のごみ箱。
【請求項１０】
さらに、前記第１の保持部材および前記第２の保持部材は、前記第２の状態を維持する状態維持手段を有し、
前記状態維持手段は、前記第１の保持部材の第２の部分に沿って設けられ、前記第１の保持部材より硬質の第１の長尺部材と、前記第２の保持部材の第２の部分に沿って設けられ、前記第２の保持部材より硬質の第２の長尺部材とを備え、
前記第２の状態で、前記第１の長尺部材の両側端部が、それぞれ前記第２の長尺部材の両側端部に圧接するように構成されている請求項９に記載のごみ箱。
【発明の詳細な説明】
【技術分野】
【０００１】
本発明は、ごみ箱に関し、より詳しくは、ごみ袋をその内部に取り外し可能に収容するごみ箱に関するものである。
【背景技術】
【０００２】
ごみ箱を使用する方法として、ごみ箱に直接ごみを捨てずに、スーパーマーケットやコンビニエンスストアで買い物袋として用いられるビニール袋等を内袋として、ごみ箱本体に収容して、内袋にごみを捨てる方法がある。かかる方法では、内袋にごみを捨てるので、ごみ箱自体を汚すことがない上、内袋内のごみが一杯になったら、ごみの入った内袋をごみ箱本体から取り外し、新たな内袋をごみ箱本体に付け替えることにより、ごみ箱内のごみを簡単に空にすることができる。
【０００３】
一般に、買い物袋として用いられるビニール袋等は、様々な大きさ、形状のものがあるため、このようなビニール袋を内袋として用いるごみ箱には、ビニール袋の大きさ、形状を問わず、ごみ袋をごみ箱本体に簡単に付け替えることができるようなごみ袋保持手段を有することが望ましい。このようなごみ袋保持手段を有するごみ箱としては、例えば、下記特許文献１が挙げられる。
【０００４】
特許文献１の図１に示されるように、特許文献１の内袋固定具付きごみ箱１００は、ごみ箱本体１と、ひも状弾性体２とを有しており、ひも状弾性体２は、ごみ箱本体１の開口部近傍の外周面に、その両端３（３ａ、３ｂ）が固定されている。このような内袋固定具付きごみ箱１００は、ごみ箱本体１内に内袋１３を収納施設し、内袋１３をごみ箱本体１の開口部で折り返して使用される。そして、ひも状弾性体２が内袋１３の折り返し部をごみ箱本体１に弾圧固定するように構成されている。
【０００５】
このような内袋固定具付きごみ箱１００では、内袋１３の折り返し部をひも状弾性体２で弾圧固定するため、ビニール袋の形状（例えば、手さげ部分の位置等）を問わず、ごみ箱本体１にビニール袋を強固に固定することができる。しかしながら、このような内袋固定具付きごみ箱１００では、内袋であるビニール袋の折り返し部がごみ箱本体１の外側に露出しているため、ごみ箱の見栄えを良くするためには、別部材として、上蓋を用意する必要がある。さらに、ビニール袋の折り返し部がごみ箱本体１の外周部にまで露出しており、ごみ箱自体のデザインを十分に活かすことができないという問題がある。したがって、ごみ箱本体に内袋を簡単に付け替え可能であり、内袋として用いることができるビニール袋の大きさ、形状の自由度が高く、上蓋を用いなくても見栄えに優れたごみ箱が望まれる。
【先行技術文献】
【特許文献】
【０００６】
【特許文献１】特開２００２−３４７９０１号公報
【発明の概要】
【発明が解決しようとする課題】
【０００７】
本発明は、上記従来の問題点を鑑みたものであり、その目的は、ごみ箱本体に内袋を簡単に取り付けることができるとともに、ごみ袋として用いることができるビニール袋の大きさ、形状を問わず、見栄えに優れたごみ箱を提供することである。
【課題を解決するための手段】
【０００８】
このような目的は以下の（１）〜（１０）の本発明により達成される。
（１）  口部を有するごみ袋と組み合わせて使用するごみ箱であって、
開口部と、前記ごみ袋を収容する空間とを備えたごみ箱本体と、
前記ごみ箱本体に設けられた第１の部分と、前記ごみ袋を前記ごみ箱本体に対して保持するために、前記第１の部分に対して変位可能に設けられ、前記ごみ袋を保持しない第１の状態と、前記ごみ袋を前記ごみ箱本体に保持する第２の状態とをとり得る第２の部分とを備えた保持部材とを有し、使用時に、前記ごみ袋を前記ごみ箱本体の前記空間内に収容し、前記ごみ袋の前記口部近傍を前記ごみ箱本体の前記開口部に配置し、その後、前記保持部材の前記第２の部分を前記第１の状態から前記第２の状態に変位させ、前記ごみ袋の前記口部近傍を前記第２の部分と前記ごみ箱本体との間に保持するよう構成されていることを特徴とするごみ箱。
（２）  前記ごみ箱本体は、底部と、該底部から立設され、湾曲部と該湾曲部の両端を連結する平坦部とを備える壁部とを備える（１）に記載のごみ箱。
（３）  前記保持部材は、第１の保持部材と、該第１の保持部材と分離して設けられた第２の保持部材とを備える（１）または（２）に記載のごみ箱。
（４）  前記第１の保持部材は、前記湾曲部の上部に沿って設けられ、前記第２の保持部材は、前記平坦部の上部に沿って設けられている（３）に記載のごみ箱。
（５）  前記第１の保持部材および前記第２の保持部材の前記第１の部分は、それぞれ前記ごみ箱本体の外周面の上部に取り付けられており、前記第１の保持部材および前記第２の保持部材の前記第２の部分は、それぞれ前記第１の保持部材および前記第２の保持部材の前記第１の部分に対して変位して、前記ごみ箱本体の前記開口部の縁を越えて前記ごみ箱本体内に折り曲げ可能に設けられている（４）に記載のごみ箱。
（６）  前記第１の保持部材および前記第２の保持部材の前記第２の部分と前記ごみ箱本体の外周面との間に隙間が設けられている（５）に記載のごみ箱。
（７）  前記隙間に前記ごみ袋の前記口部を挿入した状態で、前記ごみ袋の前記口部近傍を前記第２の部分と前記ごみ箱本体との間に保持する（６）に記載のごみ箱。
（８）  前記第１の保持部材および前記第２の保持部材の前記第２の部分は、前記第２の状態で、前記ごみ箱本体の前記空間内に位置し、その内周面との間で前記ごみ袋の前記口部近傍を保持する（７）に記載のごみ箱。
（９）  前記第１の保持部材および前記第２の保持部材は、それぞれ帯状であり、
前記第１の保持部材は、前記第２の状態で、その両側端部が、それぞれ第２の保持部材の両側端部に接触するように設けられている（８）に記載のごみ箱。
（１０）  さらに、前記第１の保持部材および前記第２の保持部材は、前記第２の状態を維持する状態維持手段を有し、
前記状態維持手段は、前記第１の保持部材の第２の部分に沿って設けられ、前記第１の保持部材より硬質の第１の長尺部材と、前記第２の保持部材の第２の部分に沿って設けられ、前記第２の保持部材より硬質の第２の長尺部材とを備え、
前記第２の状態で、前記第１の長尺部材の両側端部が、それぞれ前記第２の長尺部材の両側端部に圧接するように構成されている（９）に記載のごみ箱。
【図面の簡単な説明】
【０００９】
【図１】本発明に係るごみ箱のごみ袋を収容した状態の全体構成の斜視図であり、ごみ袋がごみ箱本体に保持されていない状態を示す。
【図２】図１のＡ−Ａ線断面図を示す。
【図３】本発明に係るごみ箱のごみ袋を収容した状態の全体構成の斜視図であり、ごみ袋がごみ箱本体に保持された状態を示す。
【図４】図３のＢ−Ｂ線断面図を示す。
【発明を実施するための形態】
【００１０】
以下、本発明のごみ箱を添付図面に示す好適な実施形態に基づいて詳細に説明する。
図１は、本発明に係るごみ箱のごみ袋を収容した状態の全体構成の斜視図であり、ごみ袋がごみ箱本体に保持されていない状態を示す。図２は、図１のＡ−Ａ線断面図を示す。図３は、本発明に係るごみ箱のごみ袋を収容した状態の全体構成の斜視図であり、ごみ袋がごみ箱本体に保持された状態を示す。図４は、図３のＢ−Ｂ線断面図を示す。
【００１１】
以下、本実施形態に係るごみ箱の構成について説明する。
図１、図２に示すように、ごみ箱１００は、開口部１１と口部を有するごみ袋４を収容する空間１５とを備えたごみ箱本体１と、ごみ袋４を保持する機能を有する、第１の保持部材２および第２の保持部材３（保持手段）とを有する。
【００１２】
まず、ごみ箱本体１について説明する。
ごみ箱本体１は、曲線状（円弧状）の外周縁部と直線状の外周縁部とを有する略半円形状の底部１２と、底部１２の曲線状の外周縁部から立設された湾曲部１３と底部１２の直線状の外周縁部から立設され、湾曲部１３の両端を連結する平坦部１４とを備える壁部と、湾曲部１３および平坦部１４の底部１２が設けられた側と反対側に設けられた開口部１１とを備えている。このようなごみ箱本体１は、底部１２、湾曲部１３および平坦部１４で規定される空間１５にごみ袋４を収容するように構成されている。
【００１３】
底部１２は、前述したように略半円形状をなしており、底部１２の曲線状の外周縁部と湾曲部１３の下端部および底部１２の直線状の外周縁部と平坦部１４の下端部とが、それぞれ縫着により固定されている。
【００１４】
平坦部１４は、その両端が湾曲部１３の両端と縫着により固定されている。
このような底部１２、湾曲部１３および平坦部１４は、それぞれナイロンのシート材で構成されている。
【００１５】
開口部１１は、略半円形状をなし、平面視において、底部１２とほぼ同形状となるように構成されている。
【００１６】
また、このようなごみ箱本体１の寸法は、特に限定されないが、底部１２の直線部の長さ（Ｌ１）は、１２〜２０ｃｍであるのがより好ましく、底部１２の曲線部の頂点から底部１２の直線部の中点を結ぶ長さ（Ｌ２）は、１０〜１５ｃｍであるのが好ましく、湾曲部１３および平坦部１４の高さ（Ｈ）は、１０〜１８ｃｍであるのが好ましい。かかる寸法のごみ箱本体１を有するごみ箱１００は、スペースを取り過ぎることがなく、特に、自動車の車内で使用するごみ箱として好適に用いることができる。
【００１７】
次に、第１の保持部材２および第２の保持部材３について説明する。
第１の保持部材２は、帯状であり、ごみ箱本体１の湾曲部１３の外周面の上部に沿って設けられた下部（第１の部分）２１と、下部２１に対して折り曲げ可能に設けられた上部（第２の部分）２２とを備えている。また、第２の保持部材３は、帯状であり、ごみ箱本体１の平坦部１４の外周面の上部に沿って設けられた下部（第１の部分）３１と、下部３１に対して折り曲げ可能に設けられた上部（第２の部分）３２とを備えている。
【００１８】
第１の保持部材２の下部２１はごみ箱本体１の湾曲部１３の外周面の上部と縫着により固定されている。本実施形態において、図１、図２に示すように、第１の保持部材２の下部２１は、湾曲部１３の上端部よりも底部１２側で湾曲部１３の上部に固定されているため、ごみ箱１００は、第１の保持部材２の上部２２と湾曲部１３との間に、隙間５を有している。このような隙間５は、ごみ袋４がごみ箱本体１に比べて大きい場合に、ごみ袋４をごみ箱本体１の空間１５に収容する際に、ごみ袋４の空間１５からはみ出した部分を収容する空間となる。
【００１９】
また、第２の保持部材３の下部３１はごみ箱本体１の平坦部１４の外周面の上部と縫着により固定されている。本実施形態において、図１、図２に示すように、第２の保持部材３の下部３１は、平坦部１４の上端部よりも底部１２側で平坦部１４の上部に固定されているため、ごみ箱１００は、第２の保持部材３の上部３２と平坦部１４との間に、隙間６を有している。このような隙間６は、ごみ袋４がごみ箱本体１に比べて大きい場合に、ごみ袋４をごみ箱本体１の空間１５に収容する際に、ごみ袋４の空間１５からはみ出した部分を収容する空間となる。
【００２０】
このような第１の保持部材２の上部２２および第２の保持部材３の上部３２は、それぞれ、ごみ箱本体１の空間１５に収容したごみ袋４をごみ箱本体１に対して保持するために、ごみ袋４を保持しない第１の状態と、ごみ袋４を保持する第２の状態とをとり得るように構成されている。より具体的には、第１の状態では、図１、図２に示すように、第１の保持部材２の上部２２および第２の保持部材３の上部３２は、それぞれごみ箱本体１の開口部１１から離間する。一方、第２の状態では、図３、図４に示すように、第１の保持部材２の上部２２は、第１の保持部材２の下部２１に対して変位して、ごみ箱本体１の開口部１１の縁を越えてごみ箱本体１内に折り曲げられて（折り曲げ部２３で折り曲げられて）、上部２２が湾曲部１３の内周面との間でごみ袋４の口部近傍を保持する。また、同様に、第２の保持部材３の上部３２は、第２の保持部材３の下部３１に対して変位して、ごみ箱本体１の開口部１１の縁を越えてごみ箱本体１内に折り曲げられて（折り曲げ部３３で折り曲げられて）、上部３２が平坦部１４の内周面との間でごみ袋４の口部近傍を保持する。
【００２１】
また、図３、図４に示すように、第１の保持部材２の上部２２および第２の保持部材３の上部３２が第２の状態のときに、第１の保持部材２の上部２２の両側端部が、それぞれ第２の保持部材３の上部３２の両側端部に接触するように構成されている。いいかえれば、第２の状態において、第１の保持部材２および第２の保持部材３は、ごみ箱本体１の開口部１１のほぼ全周を覆うように構成されている。そのため、第２の状態において、第１の保持部材２の上部２２および第２の保持部材３の上部３２がごみ袋４を保持する状態では、ごみ箱１００に収容されたごみ袋４が周囲から見えづらくなっており、ごみ箱１００の見栄えを優れたものとすることができる。
【００２２】
このような第１の保持部材２および第２の保持部材３は、それぞれ変形可能な帯状のナイロンのシート材から構成されている。
【００２３】
また、図１、２に示すように、第１の保持部材２は、第１の保持部材２の上部２２の内側に沿って設けられ、第１の保持部材２よりも硬質の第１の長尺部材２４を備えている。また、第２の保持部材３は、第２の保持部材３の上部３２の内側に沿って設けられ、第２の保持部材３よりも硬質の第２の長尺部材３４を備えている。本実施形態では、これらの第１の長尺部材２４と第２の長尺部材３４とにより、前記第２の状態を維持する状態維持手段が構成されている。
【００２４】
このような第１の長尺部材２４および第２の長尺部材３４は、第１の保持部材２の上部２２および第２の保持部材３の上部３２をそれぞれ第２の状態にした際に、第１の長尺部材２４の両側端部が、それぞれ第２の長尺部材３４の両側端部に圧接するように構成されている。このように、第１の長尺部材２４の両側端部が、それぞれ第２の長尺部材３４の両側端部に圧接することにより、第１の保持部材２の上部２２および第２の保持部材３の上部３２が、第２の状態で確実に維持される。また、第１の長尺部材２４、第２の長尺部材３４は、それぞれ第１の保持部材２、第２の保持部材３よりも硬質な材料で構成されているため、第１の長尺部材２４の両側端部と第２の長尺部材３４の両側端部との間で、不本意に圧接状態が解放されるのをより確実に防止することができる。
【００２５】
第１の長尺部材２４、第２の長尺部材３４は、それぞれ第１の保持部材２、第２の保持部材３よりも硬質であればよく、特に限定されない。このような第１の長尺部材２４、第２の長尺部材３４としては、第１の保持部材２および第２の保持部材３を構成するナイロンのシート材よりも厚みのあるシート材や、ナイロンよりも硬質な材料で構成されたシート材を用いることができる。
【００２６】
以下、図１〜４を参照しつつ、本実施形態に係るごみ箱の使用方法を説明する。
まず、図１、２に示すように、第１の保持部材２の上部２２および第２の保持部材３の上部３２を第１の状態にして、ごみ袋４をごみ箱本体１の空間１５内に収容し、ごみ袋４の口部近傍をごみ箱本体１の開口部１１に配置する。
【００２７】
なお、ごみ袋４として用いるビニール袋の大きさが空間１５の大きさに比べて大きい場合には、ごみ袋４の空間１５からはみ出した部分を、第１の保持部材２と湾曲部１３との間の隙間５、第２の保持部材３と平坦部１４との間の隙間６に挿入することができる。そのため、ごみ箱本体１の空間１５に比べて大きなビニール袋をごみ袋４として用いた場合でも、ごみ箱１００を使用する際には、ごみ箱本体１の空間１５の大きさに適したサイズのごみ袋４として使用することができる。なお、ビニール袋として、様々な形状のもの（例えば、持ち手部分の有無、長方形状、正方形状など）を用いた場合にも、ごみ袋４の空間１５からはみ出した部分を隙間５および隙間６に挿入することにより、ごみ箱本体１の空間１５に適した形状のごみ袋４として使用することができる。このように、ごみ箱１００では、ごみ袋４として用いることができるビニール袋の大きさ、形状の自由度が高くなる。
【００２８】
次に、第１の保持部材２の上部２２および第２の保持部材３の上部３２を第１の状態から第２の状態に変位させる。すなわち、図３、４に示すように、第１の保持部材２の上部２２は、第１の保持部材２の下部２１に対して変位して、ごみ箱本体１の開口部１１の縁を越えてごみ箱本体１内に折り曲げられて（折り曲げ部２３で折り曲げられて）、上部２２が湾曲部１３の内周面との間でごみ袋４の口部近傍を保持する。また、同様に、第２の保持部材３の上部３２は、第２の保持部材３の下部３１に対して変位して、ごみ箱本体１の開口部１１の縁を越えてごみ箱本体１内に折り曲げられて（折り曲げ部３３で折り曲げられて）、上部３２が平坦部１４の内周面との間でごみ袋４の口部近傍を保持する。その結果、ごみ箱１００にごみ袋４が保持される。
【００２９】
このような第２の状態において、第１の保持部材２の上部２２の両側端部が、それぞれ第２の保持部材３の上部３２の両側端部に接触し、ごみ箱本体１の開口部１１のほぼ全周が第１の保持部材２および第２の保持部材３によって覆われている。そのため、ごみ箱１００を使用する際には、ごみ箱１００に収容されたごみ袋４が周囲から見えづらくなっており、ごみ箱１００の見栄えを優れたものとすることができる。
【００３０】
また、ごみ袋４がごみ箱１００の外側に露出していないため、例えば、ごみ箱１００を設置する場所の周囲のものにごみ袋４が引っかかり、ごみ箱１００が転倒するといった不具合を確実に防止することができる。
【００３１】
また、上述したように、第１の保持部材２の上部２２の内側、第２の保持部材３の上部３２の内側には、それぞれ第１の長尺部材２４、第２の長尺部材３４が備えられている。そして、第１の保持部材２の上部２２および第２の保持部材３の上部３２が第２の状態であるとき、第１の長尺部材２４の両側端部が、それぞれ第２の長尺部材３４の両側端部に圧接する。このような、第１の長尺部材２４の両端部と第２の長尺部材３４の両端部とが圧接することにより、第１の保持部材２の上部２２および第２の保持部材３の上部３２が、第２の状態で確実に維持される。すなわち、ごみ箱１００を使用する際に、不本意にごみ箱１００からごみ袋４が外れるのを確実に防止することができる。
【００３２】
また、ごみ袋４内のごみが一杯になるなどして、ごみ箱１００に収容されたごみ袋４を付け替える際には、第１の保持部材２の上部２２および第２の保持部材３の上部３２を第２の状態から第１の状態に変位させることにより、簡単にごみ箱１００からごみ袋４を取り外すことができる。また、ごみ箱１００からごみ袋４を取り外した後は、新しいごみ袋４を上記の手順に従ってごみ箱１００に収容、保持させればよい。
【００３３】
また、第２の状態において、ごみ袋４の口部は、折り曲げられた第１の保持部材２および第２の保持部材３によって覆われており、ごみ箱１００の使用時にごみ袋４の口部が汚れることはない。したがって、ごみ袋４を取り外す際に、ごみ袋４の口部をつまんでごみ袋４をごみ箱１００から取り外せば、作業者の手が汚れるのを防止することができ、衛生上好ましい。
【００３４】
また、ごみ箱本体１が有する底部１２、湾曲部１３および平坦部１４を構成する材料は、本実施形態のナイロンに限定されるものではなく、布、皮、合成皮革、合成樹脂、金属材料、木材などのいずれか、またはこれらを組み合わせた材料から構成されていてもよい。
【００３５】
また、第１の保持部材２および第２の保持部材３を構成する材料は、本実施形態のナイロンに限定されるものではなく、変形可能な布、皮、合成皮革、合成樹脂などのいずれか、またはこれらを組み合わせた材料から構成されていてもよい。
【００３６】
また、底部１２の曲線状の外周縁部と湾曲部１３の下端部、底部１２の直線状の外周縁部と平坦部１４の下端部および平坦部１４の両端と湾曲部１３の両端との固定は、それぞれ本実施形態の縫着に限定されず、例えば、融着、接着剤による接着等によって固定されてもよい。
また、第１の長尺部材２４、第２の長尺部材３４はなくてもよい。
【００３７】
本実施形態では、状態維持手段が、第１の長尺部材２４、第２の長尺部材３４で構成されていたが、これに代えて、例えば、各保持部材２、３およびごみ箱本体１の少なくとも一方に設けられた磁石と、他方に設けられ、磁石と吸着しうる部材とで構成されていてもよい。
【００３８】
また、ごみ箱本体は、本実施形態の形状に限定されず、例えば、多角形（三角形、四角形など）の底部と、底部の外周縁部に沿って立設された壁部とを備えた構成とすることもできるし、略円形状の底部と、底部の外周縁部に沿って立設された筒状の胴部とを備えた構成とすることもできる。
【００３９】
前記実施形態では、ごみ袋を保持する保持手段が、第１の保持部材２および第２の保持部材３の２つの部材で構成されていたが、第１の保持部材２と第２の保持部材３とが一体となった１つの保持部材で構成されていてもよく、互いに分離して設けられた３つ以上の保持部材で構成されていてもよい。なお、１つの保持部材で構成した場合には、部品点数の削減を図ることができる。
【符号の説明】
【００４０】
１          ごみ箱本体
１１        開口部
１２        底部
１３        湾曲部
１４        平坦部
１５        空間
２          第１の保持部材
２１        下部
２２        上部
２３        折り曲げ部
２４        第１の長尺部材
３          第２の保持部材
３１        下部
３２        上部
３３        折り曲げ部
３４        第２の長尺部材
４          ごみ袋
５          隙間
６          隙間
１００      ごみ箱
【図１】
2010202345.tif 000003
【図２】
2010202345.tif 000004
【図３】
2010202345.tif 000005
【図４】
2010202345.tif 000006